(57)【要約】【課題】  面材を折り曲げて、上下方向または左右方向に延びる飾り部を形成し、この面材を枠体に貼り付ける場合であっても、強度低下を防止する建具を提供すること。【解決手段】  上下一対の横枠部材１４、１５、及び、左右一対の縦枠部材１６、１７で形成された枠体１１と、この枠体１１の両側面に設けられる面材１２、１３とを備え、少なくとも一方の面材１２に、当該面材１２を折り曲げ形成により、上下方向に延びる飾り部２５を設け、横枠部材１４、１５に、飾り部２５を収容する収容部３０、４０を設け、この収容部３０、４０は、横枠部材１４、１５の側面１４Ｂ、１５Ｂの面材対向部３２、４２を内方に窪ませることによって形成されることを特徴とする。【選択図】      図３
2006322259.tif 000002
【特許請求の範囲】
【請求項１】
上下一対の横枠部材、及び、左右一対の縦枠部材で形成された枠体と、この枠体の両側面に設けられる面材とを備え、
少なくとも一方の面材に、当該面材の折り曲げ形成または絞り形成により、上下方向または左右方向に延びる飾り部を設け、
前記横枠部材または前記縦枠部材に、前記飾り部を収容する収容部を設け、この収容部は、前記横枠部材または前記縦枠部材の側面の面材対向部を内方に窪ませることによって形成されることを特徴とする建具。
【請求項２】
前記収容部が形成される前記横枠部材または前記縦枠部材の天面または側面に、前記面材対向部を窪ませるための切り欠きまたは切り込みを設けたことを特徴とする請求項１に記載の建具。
【発明の詳細な説明】
【技術分野】
【０００１】
本発明は、枠体と、この枠体の両側面に設けられた面材とを備える建具に関する。
【背景技術】
【０００２】
一般に、上下一対の横枠部材、及び、左右一対の縦枠部材で形成された枠体と、この枠体の両側面に設けられる面材とを備える建具が知られている（例えば、特許文献１参照）。また、近年、面材に、この面材を折り曲げて、上下方向または左右方向に延びる、例えば、断面略Ｖ字状に凹ませた飾り部を形成し、建具の意匠性の向上を図ったものが提案されている。
【０００３】
この種の建具では、枠体に飾り部を形成した面材を貼り付けようとした場合に、この飾り部が横枠部材または縦枠部材の側面に当接する。これを解消するため、面材の飾り部に対向する横枠部材または縦枠部材の一部を切り欠き、この切り欠いた部分に飾り部を収容して面材を貼り付けている。
【特許文献１】特開２００５−４８４８４号公報
【発明の開示】
【発明が解決しようとする課題】
【０００４】
しかし、従来の建具のように、横枠部材または縦枠部材の一部を切り欠いた場合、この切り欠いた部分において、枠体の強度が低下するため、建具の強度が低下するといった問題があった。
そこで、本発明の目的は、上述した従来の技術が有する課題を解消し、面材を折り曲げて、上下方向または左右方向に延びる飾り部を形成し、この面材を枠体に貼り付ける場合であっても、強度低下を防止する建具を提供することにある。
【課題を解決するための手段】
【０００５】
本発明は、上下一対の横枠部材、及び、左右一対の縦枠部材で形成された枠体と、この枠体の両側面に設けられる面材とを備え、少なくとも一方の面材に、当該面材の折り曲げ形成または絞り形成により、上下方向または左右方向に延びる飾り部を設け、横枠部材または縦枠部材に、飾り部を収容する収容部を設け、この収容部は、横枠部材または縦枠部材の側面の面材対向部を内方に窪ませることによって形成されることを特徴とする。
【０００６】
この場合において、収容部が形成される横枠部材または縦枠部材の天面または側面に、面材対向部を窪ませるための切り欠きを設けた構成としても良い。
【発明の効果】
【０００７】
本発明では、面材の折り曲げ形成または絞り形成より、上下方向または左右方向に延びる飾り部を形成し、この面材を枠体に貼り付ける場合であっても、建具の強度低下を防止できる。
【発明を実施するための最良の形態】
【０００８】
以下、添付図面を参照して本発明の一実施の形態について説明する。
図１は、本実施形態にかかるドア（建具）の斜視図であり、図２は、このドア内部に配置される枠体の斜視図である。ドア１０は、建物１の開口枠２に、このドア１０の吊元側をヒンジ連結して開閉自在に配置されている。このドア１０は、枠体１１（図２）と、この枠体１１の両側面に設けられる鋼板製の面材１２、１３とを備えて構成されている。枠体１１は、上下一対の横枠部材１４、１５と、左右一対の縦枠部材１６、１７とを四方枠組みして形成されており、これら各枠部材１４〜１７は、鋼板材を断面略コ字上に折り曲げて形成されている。
【０００９】
また、ドア１０の戸先側には、このドア１０の開閉を行うハンドル２１が設けられ、このハンドル２１の上部及び下部に、当該ドア１０の施錠を行うサムターン２２が設けられている。
【００１０】
ドア１０の室外側の面材１２には、この面材１２の上下方向に延びる飾り部２５が形成されている。この飾り部２５は、図３に示すように、面材１２を上下方向に延びる折り曲げ線２６Ａ、２６Ｃに沿って山折りするとともに、これら折り曲げ線２６Ａ、２６Ｃの間に設けられる折り曲げ線２６Ｂに沿って谷折りすることによって、断面略Ｖ字状に凹ませて形成されている。面材１２は、この面材１２の上端部１２Ａが略直角に折り曲げられている。この上端部１２Ａのうち、飾り部２５の上方に位置する部分には、切り欠き１２Ｂが設けられており、面材１２の折り曲げ形成を容易にできるように構成されている。また、この切り欠き１２Ｂには、キャップ部材２７（図１）が配置され、このキャップ部材２７は、面材１２と上枠部材１４との隙間を覆うことにより、美観の向上をはかるとともに、ドア１０内部に雨水が浸入するのを防止している。
【００１１】
上枠部材１４には、図３に示すように、室外側の面材１２を配置した場合に、この面材１２の飾り部２５を収容する収容部３０が形成されている。この収容部３０は、上枠部材１４の天面１４Ａに切り欠き３１を設けるとともに、当該上枠部材１４の側面１４Ｂの面材対向部３２を内方に窪ませることによって形成されている。ここで、面材対向部３２は、上枠部材１４の側面１４Ｂのうち、この上枠部材１４に室外側の面材１２を貼り付けた場合に、この面材１２の飾り部２５に対応する部分をいう。本構成では、収容部３０は、上枠部材１４の天面１４Ａに略三角形状の切り欠き３１を形成し、上記面材対向部３２を切り欠き３１と略同形状に窪ませているが、面材１２の飾り部２５を収容できるものであれば、切り欠きは、どのような形状であっても良い。
【００１２】
本構成では、上枠部材１４の天面１４Ａに切り欠き３１を形成しているため、上枠部材１４の側面１４Ｂの面材対向部３２を、上記切り欠き３１内に窪ませるように押し曲げた場合であっても、この押し曲げによって、上枠部材１４の天面１４Ａに歪み、変形が生じることが防止される。また、下枠部材１５には、図２に示すように、上記上枠部材１４と同様に、室外側の面材１２を配置した場合に、この面材１２の飾り部２５を収容する収容部４１が形成されている。
【００１３】
次に、上枠部材１４に設けられる収容部３０の成形手順を説明する。ここでは、上枠部材１４を例示するが、下枠部材１５に収容部３１を成形する場合も同様の手順となる。
図４（Ａ）に示すように、鋼板材１００に略三角形状の切り欠き３１を形成する。この切り欠き３１は、略三角形の切り欠き３１の一辺３１Ａが、鋼板材１００の長手方向に延びる一の折り曲げ線２８Ａと略重なるように形成される。次に、鋼板材１００の折り曲げ線２８Ａ、２８Ｂに沿って、この鋼板材１００を折り曲げ、略コ字状の上枠部材１４を形成する。本構成では、上記切り欠き３１は、上枠部材１４の天面１４Ａに形成されている。
【００１４】
次に、図４（Ｂ）に示すように、上枠部材１４の側面１４Ｂのうち、当該上枠部材１４の天面１４Ａに切り欠き３１が形成された部分、すなわち面材対向部３２を、上枠部材１４の内方（図中Ｘ方向）に押し曲げることによって窪ませる。これにより、図４（Ｃ）に示すように、上枠部材１４に、面材１２の飾り部２５を収容する収容部３０が形成される。本構成では、収容部３０は、上枠部材１４の側面１４Ｂの面材対向部３２を窪ませているだけであるが、この面材対向部３２の上縁部と、切り欠き３１の縁部とを溶接等で接続する構成としても良い。
【００１５】
本実施形態によれば、上下一対の横枠部材１４、１５、及び、左右一対の縦枠部材１６、１７で形成された枠体１１と、この枠体１１の両側面に設けられる面材１２、１３とを備え、室外側の面材１２に、当該面材１２を折り曲げて形成した、上下方向に延びる飾り部２５を設け、横枠部材１４、１５に、飾り部２５を収容する収容部３０、４０を設け、この収容部３０、４０は、横枠部材１４、１５の側面１４Ｂ、１５Ｂの面材対向部３２、４２を内方に窪ませることによって形成されているため、横枠部材の一部を切り欠かなくても、枠体１１に面材１２を貼り付けることができる。このため、従来のように、横枠部材の一部を切り欠く場合に比べて、枠体１１の強度低下を防止でき、従って、ドア１０の強度低下を防止することができる。
【００１６】
また、本実施形態では、収容部３０、４０が形成される横枠部材１４、１５の天面１４Ａ、１５Ａに、面材対向部３２、４２を窪ませるための切り欠き３１、４１を設けたため、この面材対向部３２、４２を窪ませた場合であっても、横枠部材１４、１５の天面１４Ａ、１５Ａに歪み、変形が生じる事を防止できる。
【００１７】
上述した実施形態は、あくまでも本発明の一態様にすぎず、本発明の範囲内で任意に変形可能である。例えば、本実施形態では、室外側の面材１２に飾り部２５を設け、この飾り部２５を収容する収容部３０、４０を横枠部材１４、１５の室外側の側面１４Ｂ、１５Ｂに形成する構成としているが、これに限るものではなく、図５に示すように、横枠部材５１、５２の両側に収容部５３、５４、５５及び５６を設ける構成としても良い。この構成によれば、室外及び室内側の面材に飾り部を形成することができるため、ドアのデザインの幅を広げることができ、意匠性の向上を図ることができる。また、図６に示すように、横枠部材６１、６２の両側に収容部６３〜６６を設ける場合、各収容部６３〜６６を互い違いに配置する構成としても良い。
【００１８】
また、本実施形態では、横枠部材１４、１５に収容部３０、４０を設ける構成としたが、これに限るものではなく、図７に示すように、縦枠部材７１、７２に収容部７３、７４を設ける構成としても良い。これによれば、面材を折り曲げて、左右方向に延びる飾り部を形成することができるため、デザインの幅が広がり、意匠性の向上を図ることができる。また、図示は省略したが、上記縦枠部材の両側に収容部を設ける構成としても良い。
【００１９】
また、本実施形態では、横枠部材１４、１５の天面１４Ａ、１５Ａに面材対向部３２、４２を窪ませるための切り欠き３１、４１を設ける構成としているが、これに限るものではなく、図８に示すように、横枠部材８１の側面８１Ｂに高さＴの切り欠き８２を設ける構成としても良い。この場合、切り欠き８２の一辺８２Ａは、一方の折り曲げ線８４Ａと略重なるように設けられており、この切り欠き８２の高さＴは、鋼板材１５０の厚みよりも大きい値に設定されている。このため、横枠部材８１の側面８１Ｂの面材対向部８３を、横枠部材８１の内方に窪ませた場合であっても、面材対向部８３の上縁８３Ａが横枠部材８１の天面８１Ａに当接することがなく、収容部を形成することができる。
【００２０】
また、本実施形態では、横枠部材１４，１５の天面１４Ａ、１５Ａに切り欠き３１、４１を形成しているが、これに限るものではなく、図９に示すように、横枠部材９１の天面９１Ａに略Ｖ字型の切り込み９２を入れる構成としても良い。この場合、切り込み９２及び折り曲げ線９３とで囲まれた部分９４を、横枠部材９１の側面９１Ｂに重なるように、折り曲げ線９３で折り曲げ、上記部分９４及び面材対向部９５を横枠部材９１の内方に窪ませることによって収容部を形成することができる。
【００２１】
また、本実施形態では、面材１２に形成した飾り部２５の一例として、断面略Ｖ字型に折り曲げる形状について説明したが、これに限るものではなく、断面略コ字形状に折り曲げたり、絞り形成加工によって、丸み形状とする構成としても良い。また、横枠部材１４、１５に形成される切り欠き３１、４１は略三角形状に形成したが、面材１２の飾り部２５よりも大きく切り欠くものであれば、その形状が略四角形状であっても、略半円形状であっても良い。また、本実施形態では、建具の一例として、ドア１０に適用した構成について説明したが、これに限るものではなく、引き戸に適用しても良い。
【図面の簡単な説明】
【００２２】
【図１】本発明の実施の形態であるドアの斜視図である。
【図２】枠体の斜視図である。
【図３】面材と枠体との組み合わせ状態を示した分解斜視図である。
【図４】枠部材に収容部を形成する手順を示した図である。
【図５】枠体の変形例を示した斜視図である。
【図６】枠体の変形例を示した斜視図である。
【図７】枠体の変形例を示した斜視図である。
【図８】枠体の切り欠きの変形例を示す図である。
【図９】枠体に切り込みを設けた場合の変形例を示す図である。
【符号の説明】
【００２３】
１０  ドア（建具）
１１  枠体
１２、１３  面材
１４、１５  横枠部材
１４Ａ、１５Ａ  天面
１４Ｂ、１５Ｂ  側面
１６、１７  縦枠部材
２５  飾り部
２７  キャップ部材
３０、４０  収容部
３１、４１、８２  切り欠き
３２、４２  面材対向部
９２  切り込み
Ｔ  切り欠き高さ
【図１】
2006322259.tif 000003
【図２】
2006322259.tif 000004
【図３】
2006322259.tif 000005
【図４】
2006322259.tif 000006
【図５】
2006322259.tif 000007
【図６】
2006322259.tif 000008
【図７】
2006322259.tif 000009
【図８】
2006322259.tif 000010
【図９】
2006322259.tif 000011